(57)【要約】      （修正有）【課題】電源なしで簡単に列車の旅を疑似体験することができ、手指の運動にも有効な玩具を提供する。【解決手段】玩具１０は、列車の車窓に擬した複数の透光部１２を有する箱体状のケーシング１２と、車窓から見た風景を模した描画を透光部１２に視認可能に表示するためケーシング１２内に収納された風景表示媒体と、風景表示媒体の表示内容を連続的に変化させる手動操作手段を構成するハンドル１５と、を備えている。ケーシング１２正面の透光部１２の周囲には、実際の列車内の状況を模した補助テーブル１１、座席２０、カーテン２１、荷物棚２２及び荷物２５などが写実的に描かれ、透光部１２には、列車の窓ガラスに相当する透明板１２ａが装着されている。ハンドル１５を矢線Ｒ１方向に回転させると、長尺帯材の風景表示部１６ａが透光部１２に沿って一定方向へ移動する。【選択図】図１
0003148212.tif 000002
【実用新案登録請求の範囲】
【請求項１】
列車の車窓に擬した透光部を有する箱体状のケーシングと、車窓から見た風景の描画を前記透光部に表示するため前記ケーシング内に収納された風景表示媒体と、前記風景表示媒体の表示内容を連続的に変化させる手動操作手段と、を備えたことを特徴とする玩具。
【請求項２】
前記風景表示媒体として、風景が描かれた長尺帯材若しくは無端帯材を設け、前記手動操作手段として、前記長尺帯材若しくは前記無端帯材の風景表示部を前記透光部に沿って一定方向へ移動させる巻回機構を設けた請求項１記載の玩具。
【請求項３】
前記手動操作手段に、列車がレールの継ぎ目を通過するときの通過音に似た音を発する擬音発生機構を設けた請求項１または２記載の玩具。
【請求項４】
前記ケーシングに物品収容部を設けた請求項１〜３のいずれかに記載の玩具。
【請求項５】
請求項１〜４のいずれかに記載の玩具のケーシングに当接して前記玩具を着脱可能に保持するバー材と、前記バー材を水平に保持する支持部材と、を備えたことを特徴とする玩具支持台。
【考案の詳細な説明】
【技術分野】
【０００１】
本考案は、列車の車窓から見える風景を疑似体験することのできる玩具に関する。
【背景技術】
【０００２】
走行中の列車の車窓から見える風景を建物内などに居ながら楽しんだり、電車を運転する気分を味わったりしたいという要請に応えるため、従来、様々な玩具や装置が提案されている（例えば、特許文献１，２参照。）。
【０００３】
特許文献１記載の「運転シミュレーション玩具」においては、電車の運転台を模して、窓、加速レバー、減速レバーなどが設けられた玩具本体内に、路線が描画されたドラムや景色が描画されたロールスクリーンなどが配置され、ドラムやレールスクリーンが回転することによって移り変わる路線や景色を玩具本体の窓で見ながら電車の運転を疑似体験することができる。
【０００４】
一方、特許文献２記載の「レール物語シミュレーション」は、予め録画・録音された、先頭列車の前部から見たレールの流れや窓外の風景等を、家庭内などのＡＶ再生設備で再生することによって映像を楽しむことのできるシステムである。
【０００５】
【特許文献１】登録実用新案第３０５６９９４号公報
【特許文献２】実開平７−１４４６３号公報
【考案の開示】
【考案が解決しようとする課題】
【０００６】
特許文献１，２に記載されたシミュレーションシステムは、簡単な操作で電車の運転を疑似体験したり、音声ととともに路線の風景を鑑賞したりすることができる点において優れている。しかしながら、いずれのシステムも電池若しくは電源設備があるところでなければ使用することができない。また、特許文献２記載の「レール物語シミュレーション」は大がかりなＡＶ再生設備を必要とする。
【０００７】
本考案が解決しようとする課題は、電源なしで簡単に列車の旅を疑似体験することができ、手指の運動にも有効な玩具を提供することにある。
【課題を解決するための手段】
【０００８】
本考案の玩具は、列車の車窓に擬した透光部を有する箱体状のケーシングと、車窓から見た風景の描画を前記透光部に表示するため前記ケーシング内に収納された風景表示媒体と、前記風景表示媒体の表示内容を連続的に変化させる手動操作手段と、を備えたことを特徴とする。
【０００９】
このような構成とすれば、手動操作手段を操作することにより、ケーシングの透光部に表示された描画を連続的に変化させることができる。従って、使用者が、列車の車窓に擬した透光部に表示された描画を見ながら手動操作手段を手指などで操作すれば、恰も、列車の車窓を流れる風景を眺めているような気分に浸ることができる。透光部に表示された描画は手動操作によって変化させることができるので、電源なしで簡単に列車の旅を疑似体験することができ、手指の運動にも有効である。
【００１０】
ここで、前記風景表示媒体として、風景が描かれた長尺帯材若しくは無端帯材を設け、前記手動操作手段として、前記長尺帯材若しくは前記無端帯材の風景表示部を前記透光部に沿って一定方向へ移動させる巻回機構を設けることが望ましい。
【００１１】
このような構成とすれば、巻回機構を手動操作で回転させるという簡単な操作により、長尺帯材若しくは無端帯材の風景表示部を透光部に沿って一定方向へ移動させることができるため、操作性が向上する。長尺帯材若しくは無端帯材を使用することにより、簡素な構造でありながら、連続性に優れた風景表示部を形成することができる。
【００１２】
この場合、前記手動操作手段に、列車がレールの継ぎ目を通過するときの通過音に似た音を発する擬音発生機構を設けることもできる。このような構成とすれば、ケーシングの透光部に表示された描画を連続的に変化しているとき、列車がレールの継ぎ目を通過するときの通過音に似た音が発せられるため、走行中の列車内に似た雰囲気を醸成することができる。
【００１３】
一方、前記ケーシングに物品収容部を設ければ、食品やおもちゃなどの各種商品を前記物品収容部内に収容して陳列、販売することが可能となるので、包装箱としての機能も発揮する。
【００１４】
次に、本考案の玩具支持台は、前記玩具のケーシングに当接して前記玩具を着脱可能に保持するバー材と、前記バー材を水平保持する支持部材と、を備えたことを特徴とする。このような構成の玩具支持台に前記玩具を装着すれば、玩具全体が安定保持されるため、手指などで手動操作手段を操作する際の操作性が向上する。また、当該玩具を店舗などで販売する際の陳列手段あるいは保管手段として使用することもできる。
【考案の効果】
【００１５】
本考案により、電源なしで簡単に列車の旅を疑似体験することができ、手指の運動にも有効な玩具を提供することができる。
【考案を実施するための最良の形態】
【００１６】
以下、図面に基づいて、本考案の実施の形態について説明する。図１は本考案の実施の形態である玩具を示す斜視図、図２は図１に示す玩具の背面図、図３は図１におけるＡ−Ａ線断面図である。
【００１７】
図１，図２に示すように、本実施形態の玩具１０は、列車の車窓に擬した複数の透光部１２を有する箱体状のケーシング１２と、車窓から見た風景を模した描画を透光部１２に視認可能に表示するためケーシング１２内に収納された風景表示媒体１４と、風景表示媒体１４の表示内容を連続的に変化させる手動操作手段を構成するハンドル１５と、を備えている。図１に示すように、ケーシング１２正面の透光部１２の周囲には、実際の列車内の状況を模した補助テーブル１１、座席２０、カーテン２１、荷物棚２２及び荷物２５などが写実的に描かれ、透光部１２には、列車の窓ガラスに相当する透明板１２ａが装着されている。
【００１８】
図２，図３に示すように、背面が開口したケーシング１３内に、風景表示媒体１４として、表面に風景が表示された長尺帯材１６が収納され、手動操作手段として、長尺帯材１６表面の風景表示部１６ａを透光部１２に沿って一定方向へ移動させる巻回機構１７ａ，１７ｂを設けている。ハンドル１５を矢線Ｒ１方向に回転させると、一方の巻回機構１７ａの回転軸１８ａが同方向に回転し、他方の巻回機構１７ｂの回転軸１８ｂに巻かれた長尺帯材１６が一方の巻回機構１７ａの回転軸１８ａに巻き取られていくことにより、長尺帯材１６表面の風景表示部１６ａは透光部１２に沿って一定方向（矢線Ｘ１方向）へ移動していく。
【００１９】
また、ケーシング１３内の透光部１２背面側において、透光部１２と略平行方向に移動する長尺帯材１６と、透光部１２と、の間隔を一定に保持するための支軸２３ａ，２３ｂがそれぞれ巻回機構１７ａ，１７ｂの近傍に設けられている。図２に示すように、これらの支軸２３ａ，２３ｂはいずれも回転軸１８ａ，１８ｂと平行に立設されている。図３に示すように、長尺帯材１６の風景表示面１６ａが支軸２３ａ，２３ｂの背面側に接触しながら移動することにより、長尺部材１６と透光部１２との間隔が一定に保持される。
【００２０】
また、列車がレールの継ぎ目を通過するときの通過音に似た音を発する擬音発生機構として、手動操作手段を構成するハンドル１５下方に接触部１５ａを設け、ケーシング１３上面における接触部１５ａの回転領域内に、回転操作中の接触部１５ａが周期的に摺接して擬音を発する複数の擦過部１９が設けられている。
【００２１】
玩具１０を使用する場合、図１に示すように、ケーシング１３の上面右側に位置する回転軸１８ａ上端に装着されたハンドル１５を矢線Ｒ１方向に回転させると、前述したように、回転軸１８ａが同時に回転し、図３に示す回転軸１８ｂに巻かれている長尺帯材１６が回転軸１８ａに巻き取られる。これにより、長尺帯材１６表面の風景表示部１６ａは透光部１２に沿って一定方向（矢線Ｘ１方向）へ移動していくため、ケーシング１３の透光部１２に表示される風景表示部１６ａの描画は連続的に変化していく。
【００２２】
従って、使用者が、列車の車窓に擬した透光部１２に表示された描画を見ながらハンドル１５を手指などで回転操作すれば、恰も、列車の車窓を流れる風景を眺めているような気分に浸ることができる。透光部１２に表示される描画はハンドル１５の手動操作のみによって変化させることができるので、電源なしで簡単に列車の旅を疑似体験することができ、手指の運動にも有効である。
【００２３】
前述したハンドル１５の回転操作を続け、ケーシング１３左側の巻回機構１７ｂに巻き取られていた長尺帯材１６が右側の巻回機構１７ａに巻き取られてしまったら、図１に示すように、ハンドル１５を回転軸１８ａから抜き取って、反対側の回転軸１８ｂ上端に装着した後、矢線Ｒ２方向に回転させれば、巻回機構１７ａに巻き取られた長尺帯材１６が巻回機構１７ｂへ巻き取られる。これにより、長尺帯材１６表面の風景表示部１６ａは透光部１２に沿って前述と逆方向（矢線Ｘ２方向）へ移動していくため、使用者は再び列車の旅を疑似体験することができる。
【００２４】
図１に示すように、右側の回転軸１８ａに装着されたハンドル１５を取り外して左側の回転軸１８ｂに装着する場合、回転軸１８ｂの上端に設けられた係合溝２６内に、ハンドル１５の下方に延設された舌状の係合片１５ｂを挿入するだけで、ハンドル１５を回転軸１８ｂに一体的に装着することができる。また、逆の場合も、回転軸１８ａの上端に設けられた係合溝（図示せず）内に、ハンドル１５の下方に延設された舌状の係合片１５ｂを挿入するだけで、ハンドル１５を回転軸１８ａに一体的に装着することができるため、回転軸１８ａ，１８ｂに対するハンドル１５の着脱は容易である
【００２５】
前述したように、玩具１０はハンドル１５を手動回転させるという簡単な操作により、長尺帯材１６の風景表示部１６ａを透光部１２に沿って一定方向へ移動させることができるため、操作性は良好である。また、風景表示媒体として、長尺帯材１６を使用したことにより、簡素な構造でありながら、連続性に優れた風景表示部１６ａを形成することができる。なお、長尺部材１６の代わりに、平ベルト状に連続した形状の無端帯材（図示せず）を使用することもできる。
【００２６】
また、玩具１０においては、擬音発生機構として、ハンドル１５下方に接触部１５ａを設けるとともに、ケーシング１３上面に擦過部１９を設けている。従って、ハンドル１５の回転によってケーシング１３の透光部１２に表示された描画が連続的に変化しているとき、接触部１５ａが擦過部１９に周期的に摺接して、列車がレールの継ぎ目を通過するときの通過音に似た音が発せられ、走行中の列車内に似た雰囲気を醸成することができる。
【００２７】
一方、図３に示すように、玩具１０を構成するケーシング１３内の長尺帯材１６背面側に物品収容部２４が設けられているため、例えば、食品やおもちゃなどの各種商品を物品収容部２４内に収容して陳列、販売することも可能であり、玩具１０は包装箱としての機能も有している。なお、図２，図３に示すように、玩具１０の場合、ケーシング１３背面は開口しているが、これに限定するものではないので、ケーシング１３背面を着脱可能に閉塞する蓋体を設けることもできる。
【００２８】
次に、図４，図５に基づいて、本考案の実施形態である玩具支持台について説明する。図４は本考案の実施の形態である玩具支持台及び玩具を示す一部省略斜視図、図５は図４に示す玩具支持台の使用状態を示す一部省略斜視図である。
【００２９】
図４に示すように、本実施形態の玩具支持台３０は、玩具１０のケーシング１３の下面及び背面に当接して玩具１０を着脱可能に保持する複数のバー材３１，３２と、四角柱形状のバー材３１，３２を水平保持するためバー材３１，３２の両端にそれぞれ係止された板状の支持部材３３，３４と、を備えている。図５に示すように、玩具支持台３０に玩具１０を装着すれば、玩具１０全体を安定保持することができるため、手指などでハンドル１５（図１参照）を操作する際の操作性が良好となる。また、玩具１０を店舗などで販売する際の陳列手段あるいは保管手段として使用することもできる。
【産業上の利用可能性】
【００３０】
本考案に係る玩具は、老若男女を問わず広く使用することができ、鉄道の駅の売店や玩具店などにおいて陳列、販売することも可能である。
【図面の簡単な説明】
【００３１】
【図１】本考案の実施の形態である玩具を示す斜視図である。
【図２】図１に示す玩具の背面図である。
【図３】図１におけるＡ−Ａ線断面図である。
【図４】本考案の実施の形態である玩具支持台及び玩具を示す一部省略斜視図である。
【図５】図４に示す玩具支持台の使用状態を示す一部省略斜視図である。
【符号の説明】
【００３２】
１０  玩具
１１  補助テーブル
１２  透光部
１２ａ  透明板
１３  ケーシング
１４  風景表示媒体
１５  ハンドル
１５ａ  接触部
１５ｂ  係合片
１６  長尺部材
１６ａ  風景表示部
１７ａ，１７ｂ  巻回機構
１８ａ，１８ｂ  回転軸
１９  擦過部
２０  座席
２１  カーテン
２２  荷物棚
２３ａ，２３ｂ  支軸
２４  物品収容部
２５  荷物
３０  玩具支持台
３１，３２  バー材
３３，３４  支持部材
Ｒ１，Ｒ２，Ｘ１，Ｘ２  矢線
【図１】
0003148212.tif 000003
【図２】
0003148212.tif 000004
【図３】
0003148212.tif 000005
【図４】
0003148212.tif 000006
【図５】
0003148212.tif 000007